(57)【要約】【課題】より静音性に優れたピアノハンドル式スイッチを提供する。【解決手段】押釦ハンドル３２が設けられた器体５と、器体５の前方に一端部が枢着され押釦ハンドル３２に当接するピアノハンドル４３と、押釦ハンドル３２が押操作される方向と反対方向に付勢する復帰ばね３７と、押釦ハンドル３２の押操作毎に接点を開閉するスイッチ機構部４０と、復帰ばね３７の内側において揺動可能な反転ハンドル３１と、押釦ハンドル３２の押操作毎に反転ハンドル３１を交互に反対向きに揺動させる反転機構部４１とを備えたピアノハンドル式スイッチ１０であり、反転機構部４１は、押釦ハンドル３２と反転ハンドル３１との間に配され、押釦ハンドル３２が反転ハンドル３１の片側のみを押すように移動するスライドカム３３と、スライドカム３３の外側に、スライドカム３３の移動する方向と反対方向に付勢する金属製のばね片３３ａとを備える。【選択図】図１
2015018605.tif 000002
【特許請求の範囲】
【請求項１】
押操作される押釦ハンドルが前面側に設けられた器体と、該器体の前面側を覆う形で前記器体の前方に配置され一端部が前記器体に枢着されるとともに後面が前記押釦ハンドルに当接するピアノハンドルと、前記器体に収納され前記押釦ハンドルが押操作される方向と反対方向に前記押釦ハンドルを付勢する復帰ばねと、前記器体に収納され前記押釦ハンドルの押操作毎に接点を開閉するスイッチ機構部と、前記復帰ばねの内側において揺動可能な反転ハンドルと、前記押釦ハンドルの押操作毎に前記反転ハンドルを交互に反対向きに揺動させる反転機構部とを備えたピアノハンドル式スイッチであって、
前記反転機構部は、前記押釦ハンドルと前記反転ハンドルとの間に配されて、前記押釦ハンドルが前記反転ハンドルの片側のみを押すことができるように前記押操作される方向と垂直方向に沿ってスライド移動するスライドカムと、該スライドカムの外側に設けられ、前記スライドカムのスライド移動する方向と反対方向に前記スライドカムを付勢する金属製のばね片とを備えることを特徴とするピアノハンドル式スイッチ。
【発明の詳細な説明】
【技術分野】
【０００１】
本発明は、ピアノハンドルの押操作によって接点を反転させるピアノハンドル式スイッチに関する。
【背景技術】
【０００２】
従来から、ピアノハンドルの押操作によって接点を反転させるピアノハンドル式スイッチが提供されている。
【０００３】
この種のピアノハンドル式スイッチは、たとえば、図１５に示す、押しボタン式スイッチ装置の構成を利用できることが知られている（特許文献１を参照）。
【０００４】
特許文献１の押しボタン式スイッチ装置は、器体３０１および蓋体３０２を備えている。押しボタン式スイッチ装置は、蓋体３０２に装着され、押込みおよび復元移動自在な操作体３１０を備えている。押しボタン式スイッチ装置は、操作体３１０に押しボタン３１４を取り付けている。押しボタン式スイッチ装置は、器体３０１の内部に、端子部材３０３、解除ボタン３０４、固定接点部材３０５、可動接点支持端子３０６、可動接点支持端子３０６に揺動自在に支持される可動接点部材３０７を組み込んでいる。固定接点部材３０５は、固定接点３０５ａが設けられている。可動接点部材３０７は、可動接点３０７ａが設けられている。可動接点部材３０７は、可動接点支持端子３０６の可動接点支持ばね部３０６ａに揺動自在に支持されている。押しボタン式スイッチ装置は、可動接点部材３０７の揺動に伴い、可動接点３０７ａが固定接点３０５ａに接触または離間する。
【０００５】
押しボタン式スイッチ装置は、転換子３１３と可動接点部材３０７とがリンク機構を形成し、転換子３１３の揺動に連動して可動接点部材３０７も揺動する。押しボタン式スイッチ装置は、器体３０１の内底部にコイルばね３１５を配置してあり、コイルばね３１５によって可動接点部材３０７および転換子３１３を蓋体３０２側に付勢している。押しボタン式スイッチ装置は、コイルばね３１５の付勢力により、転換子３１３と可動接点部材３０７で形成するリンク機構がトグル機構を構成している。
【０００６】
特許文献１の押しボタン式スイッチ装置は、操作体３１０、スライド駆動体３１１、付勢部材３１２および転換子３１３で構成され、可動接点部材３０７を揺動させる接点開閉機構を有している。押しボタン式スイッチ装置では、付勢部材３１２は、基板３１２ａと一体に操作体付勢ばね部３１２ｂおよびスライド駆動体付勢ばね部３１２ｃを形成した構成としている。付勢部材３１２は、操作体付勢ばね部３１２ｂにより、操作体３１０を復元移動方向に付勢する。スライド駆動体付勢ばね部３１２ｃは、スライド駆動体３１１の両側端面に係合し、スライド駆動体３１１を両側からほぼ均等に付勢している。押しボタン式スイッチ装置は、スライド駆動体付勢ばね部３１２ｃの付勢力により、スライド駆動体３１１を中立位置に戻すことができる。
【先行技術文献】
【特許文献】
【０００７】
【特許文献１】特開平１１−１６２２９２号公報
【発明の概要】
【発明が解決しようとする課題】
【０００８】
ところで、押しボタン式スイッチ装置では、押しボタン３１４の押圧操作によるスライド駆動体３１１の移動に伴って、操作音が生じる場合がある。ピアノハンドル式スイッチでは、より静音性に優れたものが求められており、上述の押しボタン式スイッチ装置の構成を利用したものだけでは十分ではなく、更なる改良が求められている。
【０００９】
本発明は上記事由に鑑みて為されたものであり、その目的は、より静音性に優れたピアノハンドル式スイッチを提供することにある。
【課題を解決するための手段】
【００１０】
本発明のピアノハンドル式スイッチは、押操作される押釦ハンドルが前面側に設けられた器体と、当該器体の前面側を覆う形で上記器体の前方に配置され一端部が上記器体に枢着されるとともに後面が上記押釦ハンドルに当接するピアノハンドルと、上記器体に収納され上記押釦ハンドルが押操作される方向と反対方向に上記押釦ハンドルを付勢する復帰ばねと、上記器体に収納され上記押釦ハンドルの押操作毎に接点を開閉するスイッチ機構部と、上記復帰ばねの内側において揺動可能な反転ハンドルと、上記押釦ハンドルの押操作毎に上記反転ハンドルを交互に反対向きに揺動させる反転機構部とを備えたピアノハンドル式スイッチであって、上記反転機構部は、上記押釦ハンドルと上記反転ハンドルとの間に配されて、上記押釦ハンドルが上記反転ハンドルの片側のみを押すことができるように上記押操作される方向と垂直方向に沿ってスライド移動するスライドカムと、当該スライドカムの外側に設けられ、上記スライドカムのスライド移動する方向と反対方向に上記スライドカムを付勢する金属製のばね片とを備えることを特徴とする。
【発明の効果】
【００１１】
本発明のピアノハンドル式スイッチは、より静音性に優れた構成とすることが可能になる。
【図面の簡単な説明】
【００１２】
【図１】図１は、本実施形態のピアノハンドル式スイッチを示す分解斜視図である。
【図２】図２は、本実施形態のピアノハンドル式スイッチを示す断面図である。
【図３】図３は、本実施形態のピアノハンドル式スイッチの要部を示す斜視図である。
【図４】図４は、本実施形態のピアノハンドル式スイッチの要部を示す底面図である。
【図５】図５は、本実施形態のピアノハンドル式スイッチの別の要部を示す底面図である。
【図６】図６は、本実施形態のピアノハンドル式スイッチを示す斜視図である。
【図７】図７は、本実施形態のピアノハンドル式スイッチを示す平面図である。
【図８】図８は、本実施形態のピアノハンドル式スイッチを示す正面図である。
【図９】図９は、本実施形態のピアノハンドル式スイッチを示す底面図である。
【図１０】図１０は、本実施形態のピアノハンドル式スイッチを示す右側面図である。
【図１１】図１１は、本実施形態のピアノハンドル式スイッチを用いる使用形態での分解斜視図である。
【図１２】図１２は、本実施形態のピアノハンドル式スイッチの要部を示し、（ａ）はピアノハンドル取付前の断面説明図、（ｂ）はピアノハンドル取付後の断面説明図である。
【図１３】図１３は、本実施形態のピアノハンドル式スイッチの動作を説明する動作説明図である。
【図１４】図１４は、本実施形態のピアノハンドル式スイッチの動作を説明する別の動作説明図である。
【図１５】従来の押しボタン式スイッチ装置の分解斜視図である。
【発明を実施するための形態】
【００１３】
本実施形態のピアノハンドル式スイッチ１０について、図１ないし図１１に基づいて説明する。なお、図中において、同じ部材に対しては、同じ番号を付して重複する説明を省略する。
【００１４】
本実施形態のピアノハンドル式スイッチ１０は、図１および図２に示すように、押操作される押釦ハンドル３２が前面側に設けられた器体５を備えている。ピアノハンドル式スイッチ１０は、器体５の前面側を覆う形で器体５の前方に配置され一端部が器体５に枢着されるとともに後面が押釦ハンドル３２に当接するピアノハンドル４３を備えている。ピアノハンドル式スイッチ１０は、器体５に収納され押釦ハンドル３２が押操作される方向と反対方向に押釦ハンドル３２を付勢する復帰ばね３７を備えている。ピアノハンドル式スイッチ１０は、器体５に収納され押釦ハンドル３２の押操作毎に接点１００を開閉するスイッチ機構部４０を備えている。ピアノハンドル式スイッチ１０は、復帰ばね３７の内側において揺動可能な反転ハンドル３１を備えている。ピアノハンドル式スイッチ１０は、押釦ハンドル３２の押操作毎に反転ハンドル３１を交互に反対向きに揺動させる反転機構部４１を備えている。
【００１５】
反転機構部４１は、押釦ハンドル３２と反転ハンドル３１との間に配されて、押釦ハンドル３２が反転ハンドル３１の片側のみを押すことが可能となるように押操作される方向と垂直方向に沿ってスライド移動するスライドカム３３を備えている。反転機構部４１は、スライドカム３３の外側に設けられ、スライドカム３３のスライド移動する方向と反対方向にスライドカム３３を付勢する金属製のばね片３３ａを備えている。
【００１６】
これにより、本実施形態のピアノハンドル式スイッチ１０は、より静音性に優れた構成とすることが可能になるという効果がある。
【００１７】
以下、本実施形態のピアノハンドル式スイッチ１０のより具体的な構成について説明する。
【００１８】
本実施形態のピアノハンドル式スイッチ１０は、図１１に示すように、建築物の壁面などの施工面（図示していない）に設置された取付枠２に取り付けて用いることが可能なものである。
【００１９】
本実施形態のピアノハンドル式スイッチ１０は、押釦ハンドル３２を備え押操作毎に接点１００を反転させるスイッチ本体１を備えている。なお、押釦ハンドル３２は、押釦ハンドル３２の表面側に設けた凹凸で、スイッチ本体１の設置方向を示唆する図形や文字を好適に表示している。ピアノハンドル式スイッチ１０は、スイッチ本体１の前面（図１の紙面の上側）に対向する形で配設され一端部がスイッチ本体１に枢着されるとともに押釦ハンドル３２を押し込み可能なピアノハンドル４３を備えている。ピアノハンドル式スイッチ１０は、スイッチ本体１が直方体状の器体５を備えている。器体５は、取付枠２に保持される。取付枠２は、矩形枠状であり器具取付用の窓孔２ａを有している。取付枠２は、取付枠２の前面側に、取付枠２の窓孔２ａよりも長寸かつ広幅の開口窓１２０ａを備えるプレート枠１２０と、開口窓１３０ａを備える化粧プレート１３０とを重ね合わせて配置可能に構成している。取付枠２は、取付枠２の長手方向において、一対の器具取付孔２ｂ，２ｂを３組備えている。
【００２０】
ピアノハンドル式スイッチ１０は、器体５の寸法を埋込型配線器具の１個のモジュールの３個分に相当する１連のモジュールの大きさとしている。器体５は、カバー体５ａと、ボディ体５ｂとを備えている。ボディ体５ｂは、前面が開口した有底角筒状の外形形状に形成している。ボディ体５ｂは、合成樹脂成形品により形成することができる。カバー体５ａは、ボディ体５ｂの前面側に結合する後面が開口した有底角筒状の外形形状に形成している。カバー体５ａは、合成樹脂成形品により形成することができる。カバー体５ａは、カバー体５ａの短手方向の両側壁の縁から後方に組立片３を延設している。ボディ体５ｂは、ボディ体５ｂの短手方向の両側面に、カバー体５ａの組立孔４と結合可能な組立突起６を備えている。組立突起６は、ボディ体５ｂからの突出寸法がカバー体５ａ側ほど小さい傾斜面６ａを備えている。組立突起６は、カバー体５ａをボディ体５ｂに被せることで、組立片３が組立突起６に結合できるように構成してある。器体５は、カバー体５ａの組立片３に設けた組立孔４とボディ体５ｂの組立突起６とを係合することにより、ボディ体５ｂとカバー体５ａとを結合することができる。
【００２１】
本実施形態のピアノハンドル式スイッチ１０は、器体５の短手方向の寸法を、取付枠２の窓孔２ａの長手方向の寸法の略３分の１の寸法としている。また、器体５は、器体５の長手方向の寸法を、取付枠２の窓孔２ａの短手方向の寸法に略等しくしている。器体５は、カバー体５ａの長手方向の一方の側面に、取付枠２の窓孔２ａを囲む部位に設けた一対の器具取付孔２ｂ，２ｂに係合可能な一対の取付爪１１ａ，１１ａを突設している（図２、図７および図１０を参照）。同様に、器体５は、カバー体５ａの長手方向の他方の側面に、取付枠２の窓孔２ａを囲む部位に設けた一対の器具取付孔２ｂ，２ｂに係合可能な一対の取付爪１１ｂ，１１ｂを突設している（図１、図２、図７を参照）。ピアノハンドル式スイッチ１０は、取付枠２の器具取付孔２ｂに器体５の取付爪１１ａ，１１ｂを係合することで、スイッチ本体１を取付枠２に取り付けることが可能としている。カバー体５ａは、カバー体５ａの長手方向の一方の側壁に、一対の切り込み溝１１ｃ，１１ｃを備えている（図１０を参照）。カバー体５ａは、一対の切り込み溝１１ｃ，１１ｃの間に、側壁の厚み方向に可撓性を有する撓み片１１ｄを備えている。カバー体５ａは、撓み片１１ｄをカバー体５ａの内側に撓ませることによって、取付爪１１ａをカバー体５ａの内側に弾性的に変形させることが可能としている。
【００２２】
ピアノハンドル式スイッチ１０は、取付枠２にスイッチ本体１を取り付ける場合、まず、取付枠２の器具取付孔２ｂにカバー体５ａの取付爪１１ｂを挿入する。次に、ピアノハンドル式スイッチ１０は、取付爪１１ｂと反対側の取付爪１１ａを変形させ、取付枠２の窓孔２ａに器体５を挿入すれば、取付枠２にスイッチ本体１を取り付けることができる。また、ピアノハンドル式スイッチ１０は、撓み片１１ｄをカバー体５ａの内側に押し込むようにすれば、取付爪１１ａが器具取付孔２ｂから抜ける。ピアノハンドル式スイッチ１０は、器具取付孔２ｂから取付爪１１ａが抜けた状態で、取付爪１１ｂを器具取付孔２ｂから抜かせば、取付枠２からスイッチ本体１を取り外すことができる。スイッチ本体１は、撓み片１１ｄの押し込みを容易にする押突起１１ｅを撓み片１１ｄに突設している。
【００２３】
ボディ体５ｂは、ボディ体５ｂの長手方向において、ボディ体５ｂの内部空間を３室に区画している（図１および図２を参照）。ボディ体５ｂは、ボディ体５ｂの長手方向における両側の区画が端子収納室１３，１４を構成している。端子収納室１３は、第１の端子板１５と、２個の鎖錠ばね１６，１６と、解除釦１７とを有する端子部を収納する。端子収納室１４は、第２の端子板１８と、第３の端子板２２と、２個の鎖錠ばね１９，１９と、解除釦２１とを有する端子部を収納する。ボディ体５ｂは、ボディ体５ｂの長手方向における中央部がスイッチ機構部４０を収納する中央収納室２３を構成している。ボディ体５ｂは、底面側において、ボディ体５ｂの端子収納室１３に、一対の電線挿入口１３ａ，１３ａを貫設している（図２および図９を参照）。ボディ体５ｂは、一対の電線挿入口１３ａ，１３ａの近傍に解除孔１３ｂを貫設している。同様に、ボディ体５ｂは、底面側において、ボディ体５ｂの端子収納室１４に、一対の電線挿入口１４ａ，１４ａを貫設している。ボディ体５ｂは、一対の電線挿入口１４ａ，１４ａの近傍に、解除孔１４ｂを貫設している。
【００２４】
鎖錠ばね１６は、中央片１６ｃと、中央片１６ｃの一方の端部に設けた鎖錠片１６ａと、中央片１６ｃの他方の端部に設けた接触片１６ｂとを有している。鎖錠片１６ａは、Ｊ字状に曲成しており、中央片１６ｃとの連結部位から先端に向かって中央片１６ｃとの距離が広げるように傾斜している。接触片１６ｂは、Ｓ字状に曲成しており、中央片１６ｃの厚み方向に弾性を有している。同様に、鎖錠ばね１９は、中央片１９ｃと、中央片１９ｃの一方の端部に設けた鎖錠片１９ａと、中央片１９ｃの他方の端部に設けた接触片１９ｂとを有している。鎖錠片１９ａは、Ｊ字状に曲成しており、中央片１９ｃとの連結部位から先端に向かって中央片１９ｃとの距離を広げるように傾斜している。接触片１９ｂは、Ｓ字状に曲成しており、中央片１９ｃの厚み方向に弾性を有している。鎖錠ばね１６，１９は、弾性を有する導電性の金属材の折り曲げ加工により形成することができる。鎖錠ばね１６，１９は、鎖錠ばね１６，１９の材料として、たとえば、銅や銅合金などの金属材料により構成することができる。
【００２５】
第１の端子板１５は、連結片１５ａと、連結片１５ａに連結した圧接片１５ｂと、連結片１５ａと連結し圧接片１５ｂに対向する当接片１５ｃとを備えている。鎖錠ばね１６は、鎖錠ばね１６の中央片１６ｃが平板状であり、第１の端子板１５の当接片１５ｃに当接し、鎖錠片１６ａおよび接触片１６ｂを圧接片１５ｂに対向して配置する。スイッチ本体１は、電線挿入口１３ａに導入される電線が、鎖錠ばね１６の鎖錠片１６ａおよび接触片１６ｂと、第１の端子板１５の圧接片１５ｂとの間で挿入可能なように、第１の端子板１５および鎖錠ばね１６と、電線挿入口１３ａとの位置関係を設定している。
【００２６】
したがって、スイッチ本体１は、器体５の電線挿入口１３ｂに電線が挿入されると、鎖錠片１６ａおよび接触片１６ｂと、第１の端子板１５の圧接片１５ｂとの間で電線を圧接して挟持する。スイッチ本体１は、鎖錠片１６ａの先端が電線の芯線に食い込んで抜止を行う。スイッチ本体１は、鎖錠片１６ａおよび接触片１６ｂによって、電線の芯線と第１の端子板１５との電気的接続を行う。スイッチ本体１は、鎖錠ばね１６のばね力を利用して端子ねじを用いることなく電線を接続することができる。すなわち、鎖錠ばね１６と第１の端子板１５とは、絶縁被覆が剥がされた電線の芯線が挿入されることで、電線との電気的接続および機械的接続が行われる速結端子を構成している。
【００２７】
第２の端子板１８は、連結片１８ａと、連結片１８ａに連結した圧接片１８ｂと、連結片１８ａと連結し圧接片１８ｂに対向する当接片１８ｃとを備えている。第２の端子板１８は、弾性を有する導電性の金属材の折り曲げ加工により形成することができる。第２の端子板１８は、第２の端子板１８の材料として、たとえば、銅や銅合金などの金属材料により構成することができる。
【００２８】
鎖錠ばね１９は、鎖錠ばね１９の中央片１９ｃが平板状であり、第２の端子板１８の当接片１８ｃに当接し、鎖錠片１９ａおよび接触片１９ｂを圧接片１８ｂに対向して配置する。スイッチ本体１は、一方の電線挿入口１４ａに導入される電線が、鎖錠ばね１９の鎖錠片１９ａおよび接触片１９ｂと、第２の端子板１８の圧接片１８ｂとの間に挿入可能なように、第２の端子板１８および鎖錠ばね１９と、一方の電線挿入口１４ａとの位置関係を設定している。
【００２９】
スイッチ本体１は、器体５の一方の電線挿入口１４ａに電線が挿入されると、鎖錠片１９ａおよび接触片１９ｂと、第２の端子板１８の圧接片１８ｂとの間で電線を圧接して挟持する。スイッチ本体１は、鎖錠片１９ａおよび接触片１９ｂによって、電線の芯線と第２の端子板１８との電気的接続と機械的接続を行う速結端子を構成している。
【００３０】
第３の端子板２２は、連結片２２ａと、連結片２２ａにより連結された圧接片２２ｂと、連結片２２ａにより連結され圧接片２２ｂと対向する当接片２２ｃとを備えている。第３の端子板２２は、弾性を有する導電性の金属材の折り曲げ加工により形成することができる。第３の端子板２２は、第３の端子板２２の材料として、たとえば、銅や銅合金などの金属材料により構成することができる。
【００３１】
鎖錠ばね２６は、鎖錠ばね２６の中央片２６ｃが平板状であり、第３の端子板２２の当接片２２ｃに当接し、鎖錠片２６ａおよび接触片２６ｂを圧接片２２ｂに対向して配置する。スイッチ本体１は、他方の電線挿入口１４ａに導入される電線が、鎖錠ばね２６の鎖錠片２６ａおよび接触片２６ｂと、第３の端子板２２の圧接片２２ｂとの間に挿入可能なように、第３の端子板２２および鎖錠ばね２６と、他方の電線挿入口１４ａとの位置関係を設定している。
【００３２】
スイッチ本体１は、器体５の他方の電線挿入口１４ａに電線が挿入されると、鎖錠片２６ａおよび接触片２６ｂと、第３の端子板２２の圧接片２２ｂとの間で電線を圧接して挟持する。スイッチ本体１は、鎖錠片２６ａおよび接触片２６ｂによって、電線の芯線と第３の端子板２２との電気的接続と機械的接続を行う速結端子を構成している。
【００３３】
解除釦１７は、解除孔１３ｂに解除釦１７の後部を臨ませる形でボディ体５ｂの端子収納室１３に収納する。解除釦１７は、解除釦１７の一部を、鎖錠ばね１６の鎖錠片１６ａに接触可能としている。スイッチ本体１は、解除孔１３ｂを通して、解除釦１７を押操作した場合、第１の端子板１５の圧接片１５ｂから鎖錠片１６ａを引き離し、電線を引き抜くことが可能に構成している。解除釦１７は、第１の端子板１５に対応する各一対の鎖錠ばね１６にそれぞれ跨るように配置している。解除釦１７は、第１の端子板１５に対応する２個ずつの鎖錠ばね１６，１６の各鎖錠片１６ａを同時に押すことができるように構成している。
【００３４】
同様に、解除釦２１は、解除孔１４ｂに解除釦２１の後部を臨ませる形でボディ体５ｂの端子収納室１４に収納する。解除釦２１は、解除釦２１の一部を、鎖錠ばね１９の鎖錠片１９ａと鎖錠ばね２６の鎖錠片２６ａに各別に接触可能としている。解除釦２１は、解除孔１４ｂを通して、解除釦２１を押操作した場合、第２の端子板１８の圧接片１８ｂから鎖錠片１９ａを引き離し、電線を一方の電線挿入口１４ａから引き抜くことが可能に構成している。また、解除釦２１は、解除孔１４ｂを通して、解除釦２１を押操作した場合、第３の端子板２２の圧接片２２ｂから鎖錠片２６ａを引き離し、電線を他方の電線挿入口１４ａから引き抜くことが可能に構成している。解除釦２１は、第２の端子板１８および第３の端子板２２に対応する各鎖錠ばね１９，２６にそれぞれ跨るように配置している。解除釦２１は、第２の端子板１８に対応する鎖錠ばね１９の鎖錠片１９ａと、第３の端子板２２に対応する鎖錠ばね２６の鎖錠片２６ａとを同時に押すことができるように構成している。解除釦１７や解除釦２１は、解除釦１７や解除釦２１の材料として、たとえば、ユリア樹脂のような熱硬化性樹脂を用いて形成することができる。また、解除釦１７や解除釦２１は、マイナスドライバのような工具の先端部で押操作することができる。
【００３５】
スイッチ本体１は、第２の端子板１８の連結片１８ａを端子収納室１４に収納し、第２の端子板１８と一体的に形成している接点保持片１８ｄを中央収納室２３に挿入する。第２の端子板１８は、中央収納室２３内において、接点保持片１８ｄの先端部に固定接点２５（以下、第１固定接点２５ａともいう）を設けている。また、スイッチ本体１は、第３の端子板２２の連結片２２ａを端子収納室１４に収納し、第３の端子板２２と一体的に形成している接点保持片２２ｄを中央収納室２３に挿入する。第３の端子板２２は、中央収納室２３内において、接点保持片２２ｄの先端部に固定接点２５（以下、第２固定接点２５ｂともいう）を設けている。
【００３６】
第１の端子板１５は、連絡片１５ｄの先端部に中央収納室２３の後壁内周面に沿って配置する支持片１５ｅを備えている。第１の端子板１５は、当接片１５ｃよりも圧接片１５ｂ側に位置するように連絡片１５ｄを形成している。第１の端子板１５は、連絡片１５ｄを当接片１５ｃよりも圧接片１５ｂ側にすることで、連絡片１５ｄと、中央収納室２３内に配置される接点保持片１８ｄとの絶縁距離を比較的大きくしている。第１の端子板１５では、開閉子２４の後端縁２４ｂが支持片１５ｅに当接する。開閉子２４は、開閉子２４の両側縁に突部２８を突設している。開閉子２４は、中央収納室２３内で設けた前端側が広いＶ字状の位置規制凹部２７に突部２８を挿入している（図２を参照）。開閉子２４は、支持片１５ｅに後端縁２４ｂが接触した状態で後縁を支点として位置規制凹部２７の範囲内で回動可能としている。開閉子２４は、接点保持片１８ｄに対向するように配置し、接点保持片１８ｄに設けた第１固定接点２５ａとの対向部位に第１固定接点２５ａとともに接点１００を構成する可動接点２９（以下、第１可動接点２９ａともいう）を設けてある。ピアノハンドル式スイッチ１０では、開閉子２４が回動することにより、第１可動接点２９ａが第１固定接点２５ａに接離し、第１の端子板１５と第２の端子板１８との間を電気的に閉成する状態と開放する状態とを選択することができる。また、ピアノハンドル式スイッチ１０では、開閉子２４は、接点保持片２２ｄに対向するように配置し、接点保持片２２ｄに設けた第２固定接点２５ｂとの対向部位に第２固定接点２５ｂとともに接点１００を構成する可動接点２９（以下、第２可動接点２９ｂともいう）を設けてある。ピアノハンドル式スイッチ１０では、開閉子２４が回動することにより、第２可動接点２９ｂが第２固定接点２５ｂに接離し、第１の端子板１５と第３の端子板２２との間を電気的に閉成する状態と開放する状態とを選択することができる。
【００３７】
ところで、ピアノハンドル式スイッチ１０では、接点１００は、開閉子２４の回動に用いられる反転ばね３０、反転ハンドル３１とともにスイッチ機構部４０を構成している。反転ばね３０は、圧縮コイルばねを構成している。反転ばね３０は、反転ばね３０の後端部に開閉子２４の前縁に突設するばね座片２４ａを挿入する。反転ばね３０は、反転ばね３０の前端部が、反転ハンドル３１に設けた後面開口した筒部３１ａ内に収められる。反転ハンドル３１は、カバー体５ａの前面に設けた凹部５１の底壁に貫設する貫通孔５２を通して、反転ハンドル３１の前端部がカバー体５ａの前面側に露出する。
【００３８】
また、反転ハンドル３１は、反転ハンドル３１の中間部の両側面に、反転ハンドル３１の前端部側が先細りとなる三角柱形状の支点突起３１ｂを突設している。反転ハンドル３１は、カバー体５ａの貫通孔５２の両側縁に形成され後方に開放された軸受部５０に支点突起３１ｂが枢支され、カバー体５ａに対して揺動自在に取り付けられる。ピアノハンドル式スイッチ１０は、カバー体５ａの貫通孔５２に後方から反転ハンドル３１の前端部を挿入し、カバー体５ａの軸受部５０に支点突起３１ｂを挿入することで、カバー体５ａに対し、反転ハンドル３１を揺動自在とすることができる。ピアノハンドル式スイッチ１０は、反転ばね３０を介して、反転ハンドル３１と開閉子２４とが連結されている。ピアノハンドル式スイッチ１０では、反転ハンドル３１の揺動により、揺動範囲の中間で反転ばね３０がもっとも圧縮される。ピアノハンドル式スイッチ１０は、反転ばね３０がもっとも圧縮される位置の前後において、反転ばね３０から開閉子２４に作用するばね力の向きが反転し、反転ばね３０のばね力により開閉子２４が移動する。
【００３９】
反転ハンドル３１は、貫通孔５２を通してカバー体５ａの前面側に露出する反転ハンドル３１の両側部に、スライドカム３３に掛合する一対の掛合突起３４，３４を突設している。ピアノハンドル式スイッチ１０は、カバー体５ａに設けた押釦ハンドル３２の押操作時に、反転ハンドル３１の位置に対応し、押釦ハンドル３２の裏面に沿ってスライドカム３３がスライドするように構成している。
【００４０】
押釦ハンドル３２は、長手方向の両外側面の後端部に突出するガイド突起３６を備えている。ピアノハンドル式スイッチ１０は、カバー体５ａの凹部５１の両側内周面の後部に前後方向（図１の上下方向）に沿って形成された案内溝３５に、押釦ハンドル３２のガイド突起３６を挿入することによって、前後方向に移動自在かつ前方への抜止を行っている。押釦ハンドル３２は、押釦ハンドル３２の後面に突起３２ｄを突設している。押釦ハンドル３２は、板ばねからなる復帰ばね３７の平片３７ｂに穿孔した孔３７ｄに突起３２ｄを挿入することで、復帰ばね３７を押釦ハンドル３２の後面に取り付けている。ピアノハンドル式スイッチ１０は、復帰ばね３７の復帰ばね片３７ａの先端が、凹部５１の底面に弾接することにより、押釦ハンドル３２が前方に向かって付勢される。
【００４１】
スライドカム３３は、たとえば、ポリアセタールのような弾性に富む熱可塑性樹脂によりＯ字状に成形することができる。スライドカム３３は、反転ハンドル３１の掛合突起３４に対応する掛合カム体３８を、スライドカム３３の側辺部に突設している。また、スライドカム３３は、スライドカム３３の外側に設けられ、スライドカム３３のスライド移動する方向と反対方向にスライドカム３３を付勢する金属製のばね片３３ａと、スライドカム３３の外側で当接している。ばね片３３ａは、平面視がＣ字状の基部３３ａ１と、基部３３ａ１の先端と反対の各基端部側から立設する立設部３３ａ２と、各立設部３３ａ２それぞれに設けられ互いに近づく向きに延出する一対の延出部３３ａ３，３３ａ３とを備えている（図３および図４を参照）。ばね片３３ａは、ばね片３３ａの基部３３ａ１から離れたスライドカム３３の側端部に、一対の延出部３３ａ３，３３ａ３が当接している。ばね片３３ａは、各延出部３３ａ３の先端部を半円菅状としている。ばね片３３ａは、各延出部３３ａ３の先端部を半円菅状としていることにより、スライドカム３３がスライド移動しても、各延出部３３ａ３の先端部がスライドカム３３の側端部を保持可能に構成している。ばね片３３ａは、押釦ハンドル３２から突出するボス３２ｂを基部３３ａ１に設けた貫通孔３３ｂａに挿通し、ボス３２ｂの一部を溶融することで、押釦ハンドル３２に固定している。なお、ばね片３３ａは、押釦ハンドル３２から突出するボス３２ｃを挿通可能な貫通孔３３ｂｂを基部３３ａ１に設けている。ばね片３３ａは、金属材の折り曲げ加工によって形成している。ピアノハンドル式スイッチ１０は、押釦ハンドル３２と、復帰ばね３７とで、スライドカム３３およびばね片３３ａを挟持している（図５を参照）。復帰ばね３７は、復帰ばね３７の貫通孔３７ｂｂを挿通する押釦ハンドル３２のボス３２ｃの一部を溶融することで、金属製のばね片３３ａを介して、押釦ハンドル３２に固定している。
【００４２】
本実施形態のピアノハンドル式スイッチ１０では、スライドカム３３とばね片３３ａとを別体に構成している。ピアノハンドル式スイッチ１０は、スライドカム３３とばね片３３ａとを別体に構成しているため、ばね片３３ａをスライドカム３３と比較して低剛性とし、ばね片３３ａの変形ひずみを小さく抑えた設計とすることが可能となる。ピアノハンドル式スイッチ１０は、スライドカム３３とばね片３３ａとを別体に構成しているため、スライドカム３３と別体にばね片３３ａの変形ひずみを小さく抑える設計とすることができる。ピアノハンドル式スイッチ１０は、スライドカム３３と別体にばね片３３ａの変形ひずみを小さく抑える設計とすることで、ばね片３３ａとスライドカム３３とを一体的に構成するものと比較して、ばね片３３ａの寿命を延ばすことが可能となる。また、本実施形態のピアノハンドル式スイッチ１０は、スライドカム３３と別体にばね片３３ａの変形ひずみを小さく抑える設計とすることで、ばね片３３ａの変形で発生する音を低減することが可能となる。さらに、本実施形態のピアノハンドル式スイッチ１０は、スライドカム３３と別体にばね片３３ａの変形ひずみを小さく抑える設計とすることで、ばね片３３ａの速度に応じて発生する音を抑制することが可能となる。
【００４３】
すなわち、本実施形態のピアノハンドル式スイッチ１０では、金属製のばね片３３ａがスライドカム３３の外側にスライドカム３３と別体に設けているため、ばね片３３ａを低応力に構成することができる。本実施形態のピアノハンドル式スイッチ１０では、ばね片３３ａがスライドカム３３の外側にスライドカム３３と別体に設けているため、ピアノハンドル４３を低押圧で可動させる設計とすることができる。また、本実施形態のピアノハンドル式スイッチ１０では、ばね片３３ａがスライドカム３３の外側にスライドカム３３と別体に設けているため、低ゆがみと、低速化で、異音の発生を低減することができ、長寿命を図ることが可能となる。
【００４４】
本実施形態のピアノハンドル式スイッチ１０では、ばね片３３ａがスライドカム３３の外側にスライドカム３３と別体に設け、ばね片３３ａを金属材の曲げ加工により形成している。ピアノハンドル式スイッチ１０は、スライドカム３３の内側にばね片３３ａをスライドカム３３と一体的に構成する構成と比較して、スライドカム３３の構造を簡単にすることが可能となる。
【００４５】
また、本実施形態のピアノハンドル式スイッチ１０では、ばね片３３ａと復帰ばね３７を別体に構成しているため、ばね片３３ａは、押釦ハンドル３２への復帰ばね３７の付勢に伴う復帰ばね３７の変形に影響されずに、スライドカム３３を付勢することができる。ピアノハンドル式スイッチ１０は、ばね片３３ａと復帰ばね３７を別体に構成しているため、ばね片３３ａは、ばね片３３ａと復帰ばね３７とを一体に構成したものと比較して、復帰ばね３７の形状の変形に影響されず、ばね片３３ａの長さの制限が緩和される。ピアノハンドル式スイッチ１０は、ばね片３３ａと復帰ばね３７を別体に構成しているため、ばね片３３ａと復帰ばね３７とを一体に構成したものと比較して、ばね片３３ａの低ゆがみ化を図ることが容易となる。
【００４６】
なお、ピアノハンドル式スイッチ１０は、押釦ハンドル３２と、ばね片３３ａとを別体に構成するものだけに限られない。ピアノハンドル式スイッチ１０は、図示していないが、押釦ハンドル３２と、ばね片３３ａとを一体的に構成するものでもよい。ピアノハンドル式スイッチ１０は、押釦ハンドル３２と、ばね片３３ａとを一体的に構成することで、ピアノハンドル式スイッチ１０を構成する部品点数の削減を行うことが可能となる。
【００４７】
本実施形態のピアノハンドル式スイッチ１０は、スライドカム３３の外側にばね片３３ａを設けているため、スライドカム３３の内側にばね片を備える構成のものと比較して、ばね片３３ａの延出部３３ａ３のばね長さの制限が緩和される。ばね片３３ａは、スライドカム３３のストロークに伴う最大応力を抑制することにより、スライドカム３３の長寿命化を図り、異音の発生を抑制することが可能となる。また、本実施形態のピアノハンドル式スイッチ１０では、ばね片３３ａがスライドカム３３の外側にスライドカム３３と別体に設けているため、スライドカム３３の内側にばね片を設けたものと比較して、スライドカム３３を小さくすることが可能となる。そのため、本実施形態のピアノハンドル式スイッチ１０は、スライドカム３３全体を小さくして、ピアノハンドル４３の操作ストロークを小さくすることが可能となる。また、ピアノハンドル式スイッチ１０は、スライドカム３３全体を小さくすると、スライドカム３３が軽くなり、スライドカム３３の摺動動作がスムーズになる傾向にある。また、ピアノハンドル式スイッチ１０は、スライドカム３３全体の小型化に伴い、スライドカム３３の材料費を低減し、低コスト化を図ることが可能となる。さらに、ピアノハンドル式スイッチ１０は、スライドカム３３全体の小型化に伴い、反転ハンドル３１を小さくして、ピアノハンドル４３の操作ストロークを小さくすることができる。
【００４８】
カバー体５ａは、ピアノハンドル４３を枢着するために、斜め前方に突出する一対の軸部１９２，１９２をカバー体５ａの表面側に一体的に設けている。軸部１９２は、カバー体５ａの短手方向に沿った円柱状に形成している。ピアノハンドル４３は、図１２に示すように、ピアノハンドル４３の後面の一端部に、金属製の板ばねにより形成させた軸受用ばね１９１ｂを、はめ込み用穴１９１ａに装着する軸受部１９１を設けている。ピアノハンドル４３は、はめ込み用穴１９１ａの内周面の片側に係止穴１９０を備えている。ピアノハンドル４３は、はめ込み用穴１９１ａに収納する軸受用ばね１９１ｂの抜け止め爪１９１ｃを係止穴１９０で係止して、軸受用ばね体１９１ｂを保持している。軸受用ばね体１９１ｂは、先端をはめ込み用穴１９１ａ内へ突出させるように曲げ形成しており、突出部１９１ｄとはめ込み用穴１９１ａとで軸部１９２を保持可能としている。
【００４９】
ピアノハンドル４３は、はめ込み用穴１９１ａの開口付近に軸受用ばね１９１ｂの突出部１９１ｄを設けて、はめ込み用穴１９１ａの内部よりも開口幅を狭くしている。
【００５０】
ピアノハンドル式スイッチ１０は、軸受用ばね１９１ｂのばね力に抗して、ピアノハンドル４３のはめ込み用穴１９１ａに、カバー体５ａの軸部１９２を弾性的にはめ込む構成としている。ピアノハンドル式スイッチ１０は、軸部１９２と軸受部１９１とが枢着され、カバー体５ａからピアノハンドル４３が外れ難いように構成している。ピアノハンドル式スイッチ１０は、軸部１９２を軸受部１９１に対し回動自在に嵌め込むことで、ピアノハンドル４３を回動自在に枢着可能としている。なお、ピアノハンドル式スイッチ１０は、ピアノハンドル４３の他端部において、後方に向かって突出する抜け止め用の抜止片４３ａをピアノハンドル４３に設けている（図１１を参照）。ピアノハンドル４３は、カバー体５ａの前壁に形成した挿入孔５４を通して空所１２内に抜止片４３ａを挿入し、抜止片４３ａの先端部に設けた係止爪４３ｂを挿入孔５４の周縁に係止することによって、ピアノハンドル４３の回動範囲を規制している。なお、カバー体５ａは、図７に示すように、３個並んで挿入孔５４を設けている。また、第１の端子板１５は、押さえ片１５ｂから前方に挿入孔５４に近接して案内片１５ｆを延設しており、第１の端子板１５に接続される電線が挿入孔５４側に突出して抜止片４３ａに干渉することを抑制している。
【００５１】
本実施形態のピアノハンドル式スイッチ１０では、ピアノハンドル４３がスイッチ本体１に取り付けられており、ピアノハンドル４３の他端部を押操作すると、軸受部１９１と軸部１９２の枢着部を軸としてピアノハンドル４３が回動する。ピアノハンドル４３は、ピアノハンドル４３の後面に一対の操作用リブを好適に突設しており、ピアノハンドル４３が押操作されると、操作用リブによってスイッチ本体１に設けた押釦ハンドル３２が器体５側に押し込まれる。
【００５２】
以下、本実施形態のピアノハンドル式スイッチ１０の動作を、図１３および図１４を用いて簡単に説明する。本実施形態のピアノハンドル式スイッチ１０は、３路スイッチを構成しているが、図１３および図１４において、第２可動接点２９ｂと第２固定接点２５ｂとの接離に基づいて説明する。
【００５３】
ピアノハンドル式スイッチ１０では、図１３に示すように、可動接点２９が固定接点２５と接触している状態において、第１の端子板１５と第３の端子板２６との間の接点１００が閉成された状態を示している。ピアノハンドル式スイッチ１０は、反転ハンドル３１が図１３の紙面の右側に倒れている。ピアノハンドル式スイッチ１０は、スライドカム３３が、ばね片３３ａにより移動範囲の中央位置に位置している。ピアノハンドル式スイッチ１０は、ピアノハンドル４３に押力を作用させると、押釦ハンドル３２が復帰ばね３７に抗して器体５に押し込まれる。ピアノハンドル式スイッチ１０では、押釦ハンドル３２とともにスライドカム３３が図１３の紙面の下向きに移動する。ピアノハンドル式スイッチ１０は、図１３の紙面の左側のスライドカム３３の掛合カム体３８が、図１３の紙面の左側の反転ハンドル３１の掛合突起３４と当接して反転ハンドル３１の左端部を図１３の紙面の下向きに押す。ピアノハンドル式スイッチ１０では、スライドカム３３の掛合カム体３８が反転ハンドル３１の左端部を押すことにより、反転ハンドル３１が支点突起３１ｂの前端を中心として左回りに回転する。
【００５４】
ピアノハンドル式スイッチ１０は、左側の掛合カム体３８が左側の掛合突起３４よりも左側に位置し、反転ハンドル３１の回転に伴って、図１４中の左側にスライドカム３３がスライドする。ピアノハンドル式スイッチ１０は、図１４に示すように、反転ハンドル３１が反時計回りに回動し、反転ばね３０が反転して開閉子２４も反転する。ピアノハンドル式スイッチ１０は、開閉子２４の反転により、可動接点２９と固定接点２５とが離れた状態となり、第１の端子板１５と第３の端子板２６との間の接点１００が開放状態となる。
【００５５】
ピアノハンドル式スイッチ１０は、ピアノハンドル４３に作用させた押力を解除すると、復帰ばね３７のばね力により押釦ハンドル３２が押し戻される。ピアノハンドル式スイッチ１０は、押釦ハンドル３２に当接しているピアノハンドル４３も元の位置に復帰する。ピアノハンドル式スイッチ１０は、ばね片３３ａのばね力により、スライドカム３３がスライドして中央位置に復帰する。
【００５６】
ピアノハンドル式スイッチ１０は、図示していないが、接点１００が開放状態において、ピアノハンドル４３に押力を作用させると、反転ハンドル３１を回転させることができる。ピアノハンドル式スイッチ１０は、接点１００が開放状態の場合、反転ハンドル３１の右側の掛合突起３４がスライドカム３３の右側の掛合カム体３８に当接し、反転ハンドル３１が時計回りに回転する。ピアノハンドル式スイッチ１０は、反転ハンドル３１の回動に伴って、反転ばね３０を介して、可動接点２９を固定接点２５に接触させることができる。すなわち、本実施形態のピアノハンドル式スイッチ１０は、ピアノハンドル４３の押操作毎に接点１００を開閉することができる。ピアノハンドル式スイッチ１０は、スライドカム３３とばね片３３ａと反転ハンドル３１の掛合突起３４と復帰ばね３７とによって、押釦ハンドル３２の押操作毎に反転ハンドル３１を交互に反対向きに揺動させる反転機構部４１を構成している。
【００５７】
本実施形態のピアノハンドル式スイッチ１０では、図２に示すように、押釦ハンドル３２の内側面におけるガイド突起３６の両隣の部位に角柱状の規制リブ３９を突設している。ピアノハンドル式スイッチ１０では、押釦ハンドル３２の押操作に伴って、復帰ばね３７の復帰ばね片３７ａが撓んで外側に開く。ピアノハンドル式スイッチ１０は、復帰ばね片３７ａが撓んで外側に開いた場合、各復帰ばね片３７ａの先端が規制リブ３９に当たる。ピアノハンドル式スイッチ１０は、各復帰ばね片３７ａの先端が規制リブ３９に当たると、押釦ハンドル３２の押操作方向と垂直な方向への復帰ばね３７の変位が抑制されるように構成している。
【００５８】
ところで、ピアノハンドル式スイッチ１０は、図１１に示すように、プレート枠１２０の開口窓１２０ａおよび化粧プレート１３０の開口窓１３０ａを１個で覆う寸法のピアノハンドル４３を設けている。ピアノハンドル４３は、ピアノハンドル４３の大きさを１個で、プレート枠１２０の開口窓１２０ａおよび化粧プレート１３０の開口窓１３０ａを覆うものだけに限られず、ピアノハンドル式スイッチ１０の器体５に合わせて適宜の大きさとすることができる。ピアノハンドル式スイッチ１０は、ピアノハンドル４３を押釦ハンドル３２よりも操作面の面積を大きくすれば、押釦ハンドル３２を押操作するよりもピアノハンドル４３の操作性を容易に行うことが可能となる。
【００５９】
ピアノハンドル式スイッチ１０では、ピアノハンドル４３の後面の一端部に設けられる軸受部１９１が、スイッチ本体１に設けた一対の軸部１９２に対応するように２つ設けられている。ピアノハンドル４３は、ピアノハンドル４３の２つの軸受部１９１にスイッチ本体１の２つの軸部１９２を嵌め込んで取り付けられる。また、ピアノハンドル４３は、ピアノハンドル４３の後面の他端部に２本の抜止片４３ａを突設している。ピアノハンドル４３は、スイッチ本体１の挿入孔５４に各抜止片４３ａを挿入する。ピアノハンドル４３は、ピアノハンドル４３の表面における他端部には、押位置指示突起１１４を好適に設けている。また、ピアノハンドル４３は、ピアノハンドル４３の表面に、多数本の平行な直線からなるストライプ状の化粧ライン１１５を好適に形成している。
【００６０】
なお、プレート枠１２０は、取付枠２の前面側に取付ねじ１２３によって取り付けることができる。プレート枠１２０は、図１１に示すように、外形が矩形枠状であって、上片と下片とにそれぞれ取付ねじ１２３が挿通されるねじ挿通孔１２１を設けている。プレート枠１２０は、プレート枠１２０の材料として、たとえば、ＡＢＳ樹脂のような合成樹脂を用いることができる。また、プレート枠１２０は、プレート枠１２０の左片および右片それぞれに、化粧プレート１３０の係止片（図示していない）が挿入係止される係止孔１２２を設けている。さらに、プレート枠１２０は、プレート枠１２０の四隅に金属製の簡易耐火プレート（図示していない）を取り付けるためのプレート保持孔１２５を備えている。プレート枠１２０は、プレート枠１２０の周部の全周に亘って段部１２４を備えている。プレート枠１２０と結合する化粧プレート１３０は、プレート枠１２０と同様に矩形枠状に形成している。化粧プレート１３０は、化粧プレート１３０の材料として、たとえば、ＡＢＳ樹脂のような合成樹脂を用いることができる。また、化粧プレート１３０は、化粧プレート１３０の裏面にプレート枠１２０に結合するための係止片を突設している。
【００６１】
本実施形態のピアノハンドル式スイッチ１０では、取付ねじ１２３により、スイッチ本体１を取り付けた取付枠２にプレート枠１２０を取り付けている。ピアノハンドル式スイッチ１０では、化粧プレート１３０をプレート枠１２０に結合している。ピアノハンドル式スイッチ１０では、スイッチ本体１にピアノハンドル４３を取り付けている。ピアノハンドル式スイッチ１０は、プレート枠１２０の開口窓１２０ａおよび化粧プレート１３０の開口窓１３０ａを通して、ピアノハンドル４３の一部をプレートの前方に突出させることができる。ピアノハンドル式スイッチ１０は、ピアノハンドル４３の一部をプレートの前方に突出させた状態で、ピアノハンドル４３を押操作することができるように構成している。また、化粧プレート１３０は、プレート枠１２０に対して係止片によって係合しているだけであり、プレート枠１２０の下端部に設けた外し溝１２６に、先端部が尖った工具を挿入して、化粧プレート１３０をプレート枠１２０から外すことができる。なお、先端が尖った工具は、種々のものを用いることができるが、たとえば、マイナスドライバを用いることができる。したがって、ピアノハンドル式スイッチ１０は、化粧プレート１３０を取り付けた状態で、表面側に取付ねじ１２３が露出しないようにして優れた外観に仕上げることができる。また、ピアノハンドル式スイッチ１０は、メンテナンス時には化粧プレート１３０を比較的容易に取り外すことができる。
【符号の説明】
【００６２】
５  器体
１０  ピアノハンドル式スイッチ
３１  反転ハンドル
３２  押釦ハンドル
３３  スライドカム
３３ａ  ばね片
３７  復帰ばね
４０  スイッチ機構部
４１  反転機構部
４３  ピアノハンドル
【図１】
2015018605.tif 000003
【図２】
2015018605.tif 000004
【図３】
2015018605.tif 000005
【図４】
2015018605.tif 000006
【図５】
2015018605.tif 000007
【図６】
2015018605.tif 000008
【図７】
2015018605.tif 000009
【図８】
2015018605.tif 000010
【図９】
2015018605.tif 000011
【図１０】
2015018605.tif 000012
【図１１】
2015018605.tif 000013
【図１２】
2015018605.tif 000014
【図１３】
2015018605.tif 000015
【図１４】
2015018605.tif 000016
【図１５】
2015018605.tif 000017